【手続補正書】
【提出日】平成17年8月25日(2005.8.25)
【手続補正１】
【補正対象書類名】明細書
【補正対象項目名】全文
【補正方法】変更
【補正の内容】
【書類名】  明細書
【発明の名称】  衛生洗浄装置
【特許請求の範囲】
【請求項１】  人体を洗浄するための洗浄水を吐出する吐出口を有する人体洗浄ノズルと、少なくとも前記人体洗浄ノズルの前記吐出口の外側表面を高温洗浄除菌する高温洗浄除菌手段を有する衛生洗浄装置。
【請求項２】  高温洗浄除菌手段は、高温洗浄除菌モード信号を受けて高温洗浄除菌の動作を制御する高温洗浄除菌制御手段を備えた請求項１記載の衛生洗浄装置。
【請求項３】  高温洗浄除菌モード信号を発信するための除菌スイッチを衛生洗浄装置の本体またはリモコンに備えた請求項２記載の衛生洗浄装置。
【請求項４】  高温洗浄除菌手段は、高温の熱水を用いて除菌する請求項１〜３のいずれか１項記載の衛生洗浄装置。
【請求項５】  熱水の温度は、５５℃〜７０℃とした請求４記載の衛生洗浄装置。
【請求項６】  高温洗浄除菌手段は、人体を洗浄する洗浄水を人体洗浄ノズルに供給する経路途中の温水ユニットおよび切換弁の２次側でかつ前記人体洗浄ノズルには通じない別の分岐経路に設けられた熱水ユニットと、前記熱水ユニットからの熱水を前記人体洗浄ノズルの前記吐出口の外側表面に吐出する熱水吐出口を備えた請求項１〜５のいずれか１項記載の衛生洗浄装置。
【請求項７】  高温洗浄除菌時に熱水ユニットを通す熱水流量を所定の流量に制御する請求項６記載の衛生洗浄装置。
【請求項８】  人体洗浄ノズルが通常は衛生洗浄装置の本体の内に収納され、人体洗浄時に衛生洗浄装置の本体から突出するものであって、高温洗浄除菌時に熱水吐出口からの熱水が人体に当たらないように、前記人体洗浄ノズルが衛生洗浄装置の本体の内に収納状態のとき以外は高温洗浄除菌の運転作動を禁止する請求項６または７記載の衛生洗浄装置。
【請求項９】  人体洗浄ノズルを複数有し、高温洗浄除菌時に前記複数の人体洗浄ノズルを同時に高温洗浄除菌する熱水吐出口を有する構成を備えた請求項６〜８のいずれか１項記載の衛生洗浄装置。
【請求項１０】  人体洗浄ノズルの少なくとも一部をステンレス鋼とした請求項４〜９記載の衛生洗浄装置。
【請求項１１】  人体洗浄ノズルは樹脂の表面に金属を被覆した請求項４〜９記載の衛生洗浄装置。
【発明の詳細な説明】
【０００１】
【発明の属する技術分野】
本発明は、人体を洗浄する衛生洗浄装置に関する。
【０００２】
【従来の技術】
人体の局部を衛生的に洗浄する衛生洗浄装置が普及してきている。以下、従来の衛生洗浄装置について図面を参照しながら説明する。この種の衛生洗浄装置は図１０に示すように、便座３に座った人体６の局部に対して、便器後方に設置された衛生洗浄装置の本体５より人体洗浄ノズル７を繰り出し、人体６の後方から洗浄水を噴出し、局部の洗浄を行なうものである。同図において１は便器、２は衛生洗浄便座装置であり、便座３、便蓋４、人体洗浄ノズル７を収納する本体５が設けられている。
【０００３】
また近年、住環境が高度化し、年間を通じて室内の温度湿度の変化が少なくなっている。このことは反面、菌類やかび類の増殖に適した環境となっている。
【０００４】
近年、普及している衛生洗浄便座装置は、暖房便座や湯水を吐出する人体洗浄ノズルを備えているため、衛生洗浄装置が温暖、高湿に保たれる。そのため、便座装置やそれに付随する構成部材にはかびや細菌（たとえば大腸菌やレジオネラ菌等）の増殖による汚染や、ヌメリ状態が発生し、非衛生的になりやすい場合があるのではと心配する人もいる。特に人体洗浄ノズルは便器内に突出したり衛生洗浄装置内に収納されたりする部分であり、かつその人体洗浄ノズルから吐出される湯水で人体のデリケートな局部を洗浄するだけに、最も清潔性が要求される。
【０００５】
【発明が解決しようとする課題】
上記従来の衛生洗浄装置は、トイレ掃除のときなどに塩素系やアルコール系の漂白剤、もしくは洗剤で洗浄して清潔にしていた。しかし、このように人が消毒作業をするのは面倒であるという課題を有していた。
【０００６】
本発明は上記の課題を解決するもので、簡単で手軽に人体洗浄ノズルを高温洗浄除菌できる衛生洗浄装置を提供することを目的とする。
【０００７】
【課題を解決するための手段】
上記課題を解決するために本発明は、人体を洗浄するための洗浄水を吐出する吐出口を有する人体洗浄ノズルと、少なくとも前記人体洗浄ノズルの前記吐出口の外側表面を高温洗浄除菌する高温洗浄除菌手段を有する衛生洗浄装置である。本発明によれば、高温洗浄除菌手段によって人体洗浄ノズルの吐出口の外側表面を高温洗浄除菌するように作用するため、簡単で手軽に清潔に保つことができ、潔癖症の人も安心して洗浄することができる衛生洗浄装置を提供することができる。
【０００８】
【発明の実施の形態】
請求項１に記載の発明は、人体を洗浄するための洗浄水を吐出する吐出口を有する人体洗浄ノズルと、少なくとも前記人体洗浄ノズルの前記吐出口の外側表面を高温洗浄除菌する高温洗浄除菌手段を有する衛生洗浄装置である。この構成により、高温洗浄除菌手段によって人体洗浄ノズルの吐出口の外側表面を高温洗浄除菌するように作用するため、簡単で手軽に清潔に保つことができ、潔癖症の人も安心して使用することができる衛生洗浄装置を提供することができる。
【０００９】
請求項２に記載の発明は、高温洗浄除菌手段は、高温洗浄除菌モード信号を受けて高温洗浄除菌の動作を制御する高温洗浄除菌制御手段を備えた構成である。高温洗浄除菌モー
ド信号を受けて高温洗浄除菌の動作を制御する高温洗浄除菌制御手段を備えているので、操作の煩わしさなしに人体を洗浄するための洗浄水を吐出する吐出口を有する人体洗浄ノズルと、少なくとも前記人体洗浄ノズルの前記吐出口の外側表面が高温洗浄除菌され、菌類やかび類による汚染が発生せず衛生的に保つことができる。
【００１０】
請求項３に記載の発明は、高温洗浄除菌モード信号を発信するための除菌スイッチを衛生洗浄装置の本体またはリモコンに備えた構成である。この構成により、除菌スイッチを押すだけで高温洗浄除菌を簡単手軽に行うことができる。
【００１１】
請求項４に記載の発明は、高温洗浄除菌手段は、高温の熱水を用いて除菌する構成である。この構成により、高温の熱水を用いて高温洗浄除菌することで、菌類やかび類による汚染が発生せず衛生的に保つことができる。
【００１２】
請求項５に記載の発明は、熱水温度を５５℃〜７０℃とした構成である。この構成により、熱水の温度が５５℃〜７０℃に設定されているため、熱水がもしも人体に触れることがあっても瞬間やけどの心配がなく、かつ効果的に菌類やかび類による汚染を防止できる。
【００１３】
請求項６に記載の発明は、高温洗浄除菌手段が、人体を洗浄する洗浄水を人体洗浄ノズルに供給する経路途中の温水ユニットおよび切換弁の２次側でかつ前記人体洗浄ノズルには通じない別の分岐経路に設けられた熱水ユニットと、前記熱水ユニットからの熱水を前記人体洗浄ノズルの前記吐出口の外側表面に吐出する熱水吐出口を備えた構成である。この構成により、熱水ユニットは人体洗浄ノズルには通じない別の分岐経路に設けられているため、熱水が人体洗浄ノズルから吐出して人体に当ることがなく、安心して人体洗浄ノズルを高温洗浄除菌することができる。また、洗浄水を人体洗浄ノズルに供給する経路を構成する材料や途中の温水ユニット、および切換弁の構成材料は特別な耐熱材料にする必要がない。
【００１４】
請求項７に記載の発明は、高温洗浄除菌時に熱水ユニットを通す熱水流量を所定の流量に制御する構成である。熱水流量を所定の流量に制御することで、熱水が人体へ飛び散ることを防止でき安全安心である。また、温水ユニットでたとえば４０℃の一定温度にコントロールされた温水を、熱水ユニットでたとえば６０℃の一定温度の熱水にするために必要な熱入力は、熱水の流量で理論的に決まるので、熱水ユニットを通す熱水流量を所定の流量に制御する構成にすることにより、熱水ユニットの温度センサーをなしにすることができる。
【００１５】
請求項８に記載の発明は、人体洗浄ノズルが通常は衛生洗浄装置の本体の内に収納され、人体洗浄時に衛生洗浄装置の本体から突出するものであって、高温洗浄除菌時に熱水吐出口からの熱水が人体に当たらないように、前記人体洗浄ノズルが衛生洗浄装置の本体の内に収納状態のとき以外は高温洗浄除菌の運転作動を禁止する構成である。この構成により、使用者が人体洗浄ノズルで人体洗浄しているとき、誤って高温洗浄除菌を指示する操作ボタンを押しても、高温洗浄除菌の運転作動はしないため、使用者はやけどなどの心配が無く安心して使用することができる。
【００１６】
請求項９に記載の発明は、人体洗浄ノズルを複数有し、高温洗浄除菌時に前記複数の人体洗浄ノズルを同時に高温洗浄除菌する熱水吐出口を有する構成である。この構成により、たとえばお尻ノズル・ビデノズルなど複数の人体洗浄ノズルを有している場合、それら複数の人体洗浄ノズルを同時に高温洗浄除菌するように作用するため、高温洗浄除菌後にどの人体洗浄ノズルを使用する場合でも、高温洗浄除菌された人体洗浄ノズルを使用することになり、除菌され清潔な状態で安心して洗浄することができる。
【００１７】
請求項１０に記載の発明は、人体洗浄ノズルの少なくとも一部をステンレス鋼としたものである。この構成により、高温洗浄除菌の効果をより高めることができる。
【００１８】
請求項１１に記載の発明は、人体洗浄ノズルは樹脂の表面に金属を被覆したものである。この構成により、人体洗浄ノズルは流路や外形が三次元的曲面形状であっても樹脂成形でき、その樹脂表面にたとえば金属を蒸着メッキするなどして、少なくとも一部表面が金属膜を形成して、高温洗浄除菌の効果をより高めることができる。
【００１９】
【実施例】
以下、本発明の実施例について、図１〜９を参照しながら説明する。
【００２０】
（実施例１）
図１は本発明の実施例１における衛生洗浄装置の外観を示すもので、図１において、衛生洗浄装置としての温水洗浄便座１０は便器１１上に設置され、衛生洗浄装置の本体１２、便蓋１３、使用者が座るための便座１４等から構成されており、また水道から洗浄水の供給を受けるための給水配管（図３の２７に示す）および壁面のコンセントから電源供給を受けるための電気ケーブル１５が備えてある。また、衛生洗浄装置１０の内部には使用者が肛門の洗浄を行うためのおしり洗浄機能、小用後の女性局部を洗浄するビデ洗浄機能、洗浄後の人体局部を乾燥するための乾燥機能、寒冷時にトイレ空間を暖房する部屋暖房機能等が備えてあり、各々の操作は壁面に取り付けたリモートコントローラ１６（以下、リモコンと略す）によってなされる。また、便座１４には使用者の存在を検知する検知手段としての着座センサー１７を備えている。なお、この着座センサー１７は、赤外線を用いて使用者の便座１４への着座の有無を検知するものであるが、方式としては便座の静電容量を検知する方式や、さらには赤外線や超音波等を用いて使用者の便座への着座を検知する、もしくはトイレルームに入室、退室したことを検知する方式、さらには例えばトイレの照明に連動して使用者の存在を検知する方式等でも検知手段としての応用が可能である。
【００２１】
次に図２はリモコン１６の概観を示すものである。図２においてリモコン１６には人体洗浄ノズルであるお尻ノズル１８およびビデノズル１９の高温洗浄除菌を指示する除菌スイッチ２０、使用者が人体洗浄の開始を入力可能な開始手段としてのおしりスイッチ２１、女性が小用後や生理時に主に用いるビデスイッチ２２や洗浄の停止を入力する停止手段としての停止スイッチ２３、さらには乾燥機能や脱臭機能の入り切りを行う乾燥スイッチ２４や脱臭スイッチ２５、また、それぞれの機能のレベルあわせを行うためのレベルスイッチ２６等が備えられている。そして使用者が行う操作信号は赤外線信号によって温水洗浄便座の本体１２へと送られ、無線で本体１２の操作が可能な構成となっている。
【００２２】
図３は本実施例における衛生洗浄装置１０の水回路を示すブロック図、図４、図５、図６は同切換弁を示す構成図、図７、図８は熱水ユニットおよび人体洗浄ノズルを示す要部断面図である。図において、まず、水源である水道配管２７からの分岐流れを衛生洗浄装置１０の本体１２内の切換弁３３へ導く給水管２８に接続される。この給水管２８上には止水手段としての電磁弁２９、洗浄水の流量を計測する流量センサ３０、温水をつくる温水ユニット３１、温水の温度を検出する温度センサ３２などを備えている。
【００２３】
温水ユニット３１は板状のセラミックヒータとその両面に設けた蛇行する内部流路から構成されており、熱交入口に供給された常温の洗浄水は、この蛇行する内部流路を流れながらセラミックヒータから熱を受け取り、温水ユニット３１の出口に至るまでの間に適温に加熱される仕組みである。そのため、必要時に連続して適温の温水を供給可能であり、使用時に備えて温水を保温貯溜しておく必要性がないため、非常に効率的な温水供給手段
となっている。なお本実施例においては、ヒータは熱密度に優れた板状のセラミックヒータを用いたが、シーズヒータやマイカヒータ、さらにはプリントヒータなど様々なヒータ応用が考えられることは言うまでもない。
【００２４】
さらにその下流側には温水管３４を介して切換弁３３が接続されており、この切換弁３３は先述の温水管３４が接続される入口流路３５と第１出口流路３６、第２出口流路３７、第３出口流路３８がモータ３９によって選択的に連通される構成となっている。なお、本実施例で用いた切換弁３３は入口流路３５と第１出口流路３６、第２出口流路３７、第３出口流路３８の連通面積を可変することで水路の切換に加えて選択された流路に流れる洗浄水の流量も可変可能な構成としてある。
【００２５】
この切換弁３３の下流側には、第１出口流路３６に人体洗浄ノズルのひとつであるお尻ノズル１８が、第２出口流路３７に人体洗浄ノズルのもうひとつであるビデノズル１９が、第３出口流路３８に温水を高温の熱水にする熱水ユニット４２およびその熱水で前記人体洗浄ノズル１８、１９の外側表面を高温洗浄除菌する熱水吐出口４７が接続されている。また、お尻ノズル１８およびビデノズル１９には、当然のことながら温水ユニット３１、切換弁３３を経由して流れてくる温水を、人体を洗浄するための洗浄水として肛門もしくは女性の局部に向けて噴出する吐出口４４、４５を備えている。
【００２６】
また、図７、図８に示したように熱水ユニット４２のヒータ４６下流の先端部には熱水吐出口４７が備えてある。なお、お尻ノズル１８の吐出口４４およびビデノズル１９の吐出口４５は、人体洗浄使用時に人体の被洗浄部、つまり肛門もしくは女性の局部に向けて洗浄水を噴出する構成となっているが、熱水吐出口４７からは図７のように人体洗浄をしていないときに、リモコン１６の除菌スイッチ２０を押すことにより、人体洗浄ノズルであるお尻ノズル１８およびビデノズル１９の吐出口の吐出口４４、４５の外側表面に高温の湯が吐出され、高温洗浄除菌される構成となっている。人体洗浄ノズル１８、１９を高温洗浄除菌した湯は、便器内に流れ落ちる構成となっている。なお、人が便座に腰掛けた状態において、上記の高温洗浄除菌を行ったとしても、熱水吐出口４７からの高温の湯（熱水）は人体にはかからないよう熱水吐出口４７の位置および向きが決められている。
【００２７】
また、お尻ノズル１８およびビデノズル１９は、円筒状ピストン部４８、円筒状シリンダ部４９、スプリング５０の構成によって駆動される。つまり、図３、図４で示した切換弁３３の作動によって洗浄水が第１出口流路３６へ送られてくると、その水圧が円筒状ピストン部４８に作用し、スプリング５０の力に打ち勝って図８のようにお尻ノズル１８が押し出され、吐出口４４から温水が噴出する。
【００２８】
また、切換弁３３をモータ３９で作動し第１出口流路３６を閉じると、スプリング５０の力で円筒状ピストン部４８が図７のように押し戻され、お尻ノズル１８は衛生洗浄装置１０の本体１２の内に収納された状態になるように、待機時と使用時の吐出口４４の位置可変が可能な構成となっている。ビデノズル１９も同様に第２出口流路３７を切換弁３３で開閉することにより、吐出口４５の位置を可変可能である。
【００２９】
図３、図４の実施例図では、水圧によりお尻ノズル１８およびビデノズル１９を出し入れする構成であるが、たとえばラックおよびピニオンギア（図示せず）とを噛み合わせ、モータでピニオンギアを駆動する構成により、出し入れしてもよい。
【００３０】
また、図７のようにお尻ノズル１８およびビデノズル１９が待機状態（収納状態）にある時は、お尻ノズル１８の吐出口４４、およびビデノズル１９の吐出口４５の上面に熱水ユニット４２の熱水吐出口４７が覆い被さる構成となっている。このように、人体洗浄ノズルであるお尻ノズル１８およびビデノズル１９が通常は衛生洗浄装置の本体１２の内に
収納され、人体洗浄時に衛生洗浄装置の本体から突出するものであって、高温洗浄除菌時に熱水吐出口４７からの熱水が人体に当たらないように、人体洗浄ノズルであるお尻ノズル１８およびビデノズル１９が衛生洗浄装置の本体１２の内に収納状態のとき以外は高温洗浄除菌の運転作動を禁止する構成である。
【００３１】
次に図４、図５、図６を用いて切換弁３３について詳述する。切換弁３３はハウジング５１とハウジング５１内に回転可能に挿入された弁体５２および弁体５２を回転駆動するモータ３９によって構成される。まず、ハウジング５１には入口流路３５、第１出口流路３６、第２出口流路３７、第３出口流路３８が構成してあり、第１出口流路３６と第２出口流路３７は断面Ａ−Ａにて対向して位置するとともに、第３出口流路３８は断面Ｂ−Ｂに示すとおり、前記２つの出口流路とは異なる断面位置に設けてある。次に弁体５２であるが、ハウジング５１に挿入した際に入口流路３５に常時連通する形で内部流路５３が設けてあり、また、この内部流路５３から分岐して第１の弁体出口５４、第２の弁体出口５５が構成されている。この第１の弁体出口５４はハウジング５１の第１出口流路３６および第２出口流路３７に、また第２の弁体出口５５はハウジング５１の第３出口流路３８に対応して位置が決められており、弁体５２の回転角度によって、入口流路３５と第１出口流路３６、第２出口流路３７、第３出口流路３８の連通度合いを可変できる構成となっている。なお、それぞれの流路に対して内部リークの防止、もしくは外部漏れを防止するためにシール部材としてＯリング５６を備えてあるが、これはモータの負荷を軽減するためにはＸリングやＶパッキンなどの特殊Ｏリングを用いると効果的である。さらにモータ３９であるが、ここではオープン制御でも精度よく位置決めのできる減速ギア内蔵型のステッピングモータを採用し、その出力軸を弁体５２に挿入する形で取り付けてある。本実施例ではモータ３９はステッピングモータを採用したが、位置決めの精度さえ確保できれば、ブラシタイプの汎用ＤＣモータ等の利用も可能であるし、回転型のソレノイド等、様々なアクチュエータの応用が考えられることは言うまでもない。さらにまた、本実施例では回転型の流路切換弁を用いたが、直動型やダイヤフラムを用いたもの、さらには円盤タイプの弁体で複数流路の切換えを行うものなども容易に応用可能である。
【００３２】
以上の構成において、人体を洗浄するための洗浄水を吐出する吐出口４４、４５を有する人体洗浄ノズル１８、１９と、少なくとも前記人体洗浄ノズル１８、１９の前記吐出口４４、４５の外側表面を高温洗浄除菌する高温洗浄除菌手段４７を有する衛生洗浄装置１０の構成で、高温洗浄除菌手段である熱水吐出口４７によって人体洗浄ノズル１８、１９の吐出口４４、４５の外側表面を高温洗浄除菌するように作用するため、衛生洗浄装置１０を使用するとき高温洗浄除菌することにより清潔に保つことができ、潔癖症の人も衛生洗浄装置を安心して使用することができる。
【００３３】
また、高温洗浄除菌手段である熱水吐出口４７から高温の湯を吐出するのは、リモコン１６の除菌スイッチ２０を使用者が押すと、衛生洗浄装置１０に組み込まれている制御器５７の高温洗浄除菌制御手段５８が高温洗浄除菌モード信号を受けて高温洗浄除菌の動作を制御する構成である。すなわち、除菌スイッチ２０を使用者が押すと、高温洗浄除菌制御手段５８が切換弁３３のモータ３９を駆動し入口流路３５と第３出口流路３８を連通させ、温水ユニット３１からの温水が熱水ユニット４２に供給され、熱水ユニット４２で高温の湯になった後、熱水吐出口４７から人体洗浄ノズル１８、１９の吐出口４４、４５の外側表面を高温洗浄除菌するように作用するように制御する。このように高温洗浄除菌モード信号を受けて高温洗浄除菌の動作を制御する高温洗浄除菌制御手段５８を備えているので、操作の煩わしさなしに人体を洗浄するための洗浄水を吐出する吐出口４４、４５を有する人体洗浄ノズル１８、１９と、少なくとも前記人体洗浄ノズル１８、１９の前記吐出口４４、４５の外側表面が高温洗浄除菌され、菌類やかび類による汚染が発生せず衛生的に保つことができる。
【００３４】
なお実施例では、高温洗浄除菌モード信号を発信するための除菌スイッチ２０は、衛生洗浄装置１０のリモコン１６に備えた構成で説明したが、衛生洗浄装置１０の本体１２に備えた構成であってもよいことは言うまでもない。このように高温洗浄除菌モード信号を発信するための除菌スイッチ２０を衛生洗浄装置１０の本体１２またはリモコン１６に備えた構成により、除菌スイッチ２０を押すだけで高温洗浄除菌を簡単手軽に行うことができる。
【００３５】
また、高温洗浄除菌手段５８は、高温の熱水を用いて人体洗浄ノズル１８、１９を除菌する構成により、高温の熱水による除菌作用により、菌類やかび類による汚染が発生せず衛生的に保つことができる。
【００３６】
なお、その高温洗浄除菌する熱水の温度は、５５℃〜７０℃とした。なぜなら調査の結果、食品分野において、ビールの殺菌が５５〜６０℃、清酒の殺菌も５５〜６０℃、味噌の殺菌が６０℃前後などの例があり、ちなみに病原細菌の死滅温度は、赤痢菌、腸チフス菌、パラチフス菌、大腸菌、腸炎ビブリオ、ブルセラ菌、連鎖球菌、ブドウ球菌などいずれも６０℃であるといわれている。大腸菌について実験した結果においても、５５℃において除菌効果を確認することができた。温度は高いほど高温除菌作用も大きいが、もし何らかの故障で万が一、人体に直接高温の湯が噴射された場合でも、瞬間やけどで大事にいたることを防止することが重要であり、上限温度は７０℃とした。このように、熱水の温度が５５℃〜７０℃に設定されているため、熱水がもしも人体に触れることがあっても瞬間やけどで大事にいたる心配がなく、かつ効果的に菌類やかび類による汚染を防止できる。
【００３７】
高温洗浄除菌手段が、人体を洗浄する洗浄水を人体洗浄ノズルに供給する経路途中の温水ユニットおよび切換弁の２次側でかつ前記人体洗浄ノズルには通じない別の分岐経路に設けられた熱水ユニットと、前記熱水ユニットからの熱水を前記人体洗浄ノズルの前記吐出口の外側表面に吐出する熱水吐出口を備えた構成である。この構成により、熱水ユニットは人体洗浄ノズルには通じない別の分岐経路に設けられているため、熱水が人体洗浄ノズルから吐出して人体に当ることがなく、安心して人体洗浄ノズルを高温洗浄除菌することができる。また、洗浄水を人体洗浄ノズルに供給する経路を構成する材料や途中の温水ユニット、および切換弁の構成材料は特別な耐熱材料にする必要がない。
【００３８】
また、高温洗浄除菌時には高温洗浄除菌手段５８によって、熱水ユニット４２を通す熱水流量を所定の流量に制御する構成となっている。つまり、切換弁３３の入口流路３５と第３出口流路３８の連通開口度合いを所定量にすることで、流量が制御される。流量信号は流量センサ３０から得ることができる。熱水流量を所定の流量に制御することで、熱水が人体へ飛び散ることを防止でき安全安心である。また、温水ユニット３１でたとえば４０℃の一定温度にコントロールされた温水を、熱水ユニット４２でたとえば６０℃の一定温度の熱水にするために必要な熱入力は、熱水の流量で理論的に決まるので、熱水ユニット４２を通す熱水流量を所定の流量に制御する構成にすることにより、熱水ユニット４２の温度センサーをなしにすることができる。しかも、少ない所定流量に制御することで、ヒータ４６で加熱に要する熱量も少なくでき、上記した安全性と合わせて省エネの効果も得られる。
【００３９】
また、熱水ユニット４２のヒータ４６は自己温度制御ヒータで構成してある。この構成により、熱水ユニット４２に温度センサなどを取り付けることなしに、自己温度制御ヒータ４６自身によって、たとえば６０℃一定の熱水温度にするように電気入力が自動的に制御される。このため、熱水ユニット４２をコンパクトにできるとともに、熱水の温度もほぼ一定で除菌効果も安定でき使用者が安心して使用することができる。ただし熱水ユニット４２のヒータ４６は、必ずしも自己温度制御ヒータである必要はなく、一般的なセラミ
ックヒータやシーズヒータであっても、温度制御さえ安全にできる構成であれば、高温洗浄除菌効果には何ら支障がないことは言うまでもないことである。
【００４０】
また、人体洗浄ノズル１８、１９が通常は衛生洗浄装置１０の本体１２の内に収納され、人体洗浄時に衛生洗浄装置１０の本体１２から突出するものであって、高温洗浄除菌時に熱水吐出口４７からの熱水が人体に当たらないように、前記人体洗浄ノズル１８、１９が衛生洗浄装置１０の本体１２の内に収納状態のとき以外は高温洗浄除菌の運転作動を禁止する構成である。すなわち、使用者が人体洗浄ノズル１８、１９で人体洗浄しているとき、誤ってリモコン１６の高温洗浄除菌を指示する操作ボタン（除菌スイッチ２０）を押しても、制御器５７は高温洗浄除菌の運転作動はしないように作用する。つまり、人体洗浄ノズル１８、１９が衛生洗浄装置１０の本体１２の内に収納されている状態のときだけしか除菌スイッチ２０の信号は受け付けられない構成である。この構成により、使用者はやけどなどの心配が無く安心して使用することができる。
【００４１】
また、人体洗浄ノズルをお尻ノズル１８とビデノズル１９のように複数有し、高温洗浄除菌時にそれら複数の人体洗浄ノズル１８、１９を熱水吐出口４７からの熱水で同時に高温洗浄除菌する構成であり、高温洗浄除菌後にいずれの人体洗浄ノズルを使用する場合においても、高温洗浄除菌された人体洗浄ノズルを使用することになり、除菌され清潔な状態で安心して洗浄することができる。
【００４２】
また、人体洗浄ノズル１８、１９は、５５℃〜７０℃高温の熱水の温度が作用する部分を、十分その高温に耐える耐熱材料で形成する構成にすることにより、高温洗浄除菌することによる人体洗浄ノズル１８、１９の変形や損傷などの心配がなく、長期にわたり安心して使用することができる。
【００４３】
また、人体洗浄ノズル１８、１９は、５５℃〜７０℃高温の熱水の温度が作用する部分を、ステンレス鋼で形成する構成にすることにより、十分その高温に耐えるとともに、清潔感も高く、高温洗浄除菌の効果をより高めることができる。
【００４４】
また、人体洗浄ノズル１８、１９は、樹脂の表面に金属を被覆した構成にすることより、人体洗浄ノズル１８、１９の流路や外形が三次元的曲面形状であっても樹脂成形でき、その樹脂表面にたとえば金属をメッキするなどして、少なくとも一部表面に金属膜を形成する構成にすることにより、表面の高温洗浄除菌効果をより高めることができる。
【００４５】
また、人体洗浄ノズル１８、１９の表面に撥水処理を施した構成にすることにより、人体洗浄ノズル１８、１９に水垢スケールが付着することを防止できるため、さらに高温洗浄除菌の効果を高めることができる。
【００４６】
また、高温洗浄除菌手段５８は、リモコン１６の除菌スイッチ２０を押したときだけでなく、所定の時間間隔毎に自動的に高温洗浄除菌を行う構成にすることにより、長期間または長時間にわたって衛生洗浄装置１０を使用しない場合においても、人体洗浄ノズル１８、１９は所定の時間間隔毎に自動的に高温洗浄除菌されるので、菌類やかび類による汚染が発生せずいつも衛生的で清潔に保つことができる衛生洗浄装置を提供することができる。
【００４７】
【発明の効果】
以上のように、本発明によれば、人体を洗浄するための洗浄水を吐出する人体洗浄ノズルと、その人体洗浄ノズルの吐出口の外側表面を高温洗浄除菌する高温洗浄除菌手段によって、簡単で手軽に清潔に保つことができ、潔癖症の人も安心して使用することができる衛生洗浄装置を提供することができる。
【図面の簡単な説明】
【図１】
本発明の実施例１における衛生洗浄装置の外観斜視図
【図２】
同実施例１における衛生洗浄装置のリモコンの平面図
【図３】
同実施例１における衛生洗浄装置の水回路構成のブロック図
【図４】
同実施例１における衛生洗浄装置の切換弁の正面断面図
【図５】
同実施例１における衛生洗浄装置の切換弁の平面断面図
【図６】
同実施例１における衛生洗浄装置の切換弁の平面断面図
【図７】
同実施例１における衛生洗浄装置の部分側面断面図
【図８】
同実施例１における衛生洗浄装置の部分側面断面図
【図９】
同実施例１における衛生洗浄装置の熱水ユニットの外観斜視図
【図１０】
従来の衛生洗浄装置の側面断面図
【符号の説明】
１０  衛生洗浄装置
１２  衛生洗浄装置の本体
１８  人体洗浄ノズル（お尻ノズル）
１９  人体洗浄ノズル（ビデノズル）
２０  除菌スイッチ
３０  流量センサ
３１  温水ユニット
３３  切換弁
４２  熱水ユニット
４７  高温除菌手段（熱水吐出口）
５７  制御器
５８  高温洗浄除菌制御手段